(57)【要約】【課題】  各ポートに接続されている装置等の名称を容易に確認でき、外観上もすっきりとしたネットワーク機器を提供する。【解決手段】  スイッチングハブ１の上面に透明パネル１４を設置する。透明パネル１４は、一方の端部がスイッチングハブ１と回動可能に篏合されており、ユーザが上面方向に引くことで、スイッチングハブ１から外すことができる。この透明パネル１４とプレート台１５の間にネームプレートを挟む。ネームプレートは、各ポート１１に対応する箇所に接続先装置等の名称が記載できるようになっており、これにより、ユーザは、各ポートに接続されている装置等の名称を容易に確認できる。【選択図】  図１
0003114657.tif 000002
【実用新案登録請求の範囲】
【請求項１】
略直方体形状の筐体の正面に配列された複数のネットワーク通信ポートと、
前記筐体上面の前記正面側に沿って形成され、前記複数のネットワーク通信ポートの接続先を表示するネームプレートを保持するプレート台と、
前記プレート台をカバーし、前記筐体に対して前記正面側の端部またはその反対側の端部を支点に開閉可能に係止された透明または半透明のパネルと、
を備えたことを特徴とするネットワーク機器。
【請求項２】
前記パネルは、前記正面側の端部またはその反対側の端部の支点に、前記筐体側に突出する突出部を有するとともに、前記筐体は、該突出部が摺動自在に係合する孔部を有し、
前記突出部は、突出方向と直交する前記パネルの外側方向にさらに突出した鉤状部を先端部に有し、前記孔部は、前記鉤状部と係合する鉤掛部を有することを特徴とする請求項１に記載のネットワーク機器。
【請求項３】
前記プレート台は、前記筐体上面よりも前記パネルの厚さ分だけ下側に形成され、
前記パネルは、上面が前記筐体上面と面一になるように前記プレート台、および前記筐体に接するとともに、
前記支点となる端部と逆側の端部の前記筐体との突き合わせ面に小凸部を有し、
前記筐体は、前記筐体パネルとの突き合わせ面に前記小凸部と係合する凹部または孔部を有することを特徴とする請求項１、または請求項２に記載のネットワーク機器。
【考案の詳細な説明】
【技術分野】
【０００１】
本考案は多数のケーブルが接続されるネットワーク機器に関する。
【背景技術】
【０００２】
一般に、ネットワーク機器（例えばスイッチングハブ）は複数の接続ポートを備えており、それぞれのポートにケーブルを介して情報処理装置等を接続する。各ポートにはそれぞれ通信状態確認用のＬＥＤ等が設置されている。各ポートにケーブルを接続するとＬＥＤが点灯し、ユーザは当該ポートに情報処理装置等が接続されていることが確認できる。また、このポートを介して通信を行うと、その通信状態に応じてＬＥＤの点灯態様を変化させるスイッチングハブが提案されている（例えば特許文献１参照）。
【特許文献１】特開平１１−１９１７８５号公報
【考案の開示】
【考案が解決しようとする課題】
【０００３】
しかしながら、上記のようなスイッチングハブは以下のような問題があった。
【０００４】
ポート数が多いスイッチングハブにおいて、多数のケーブルを接続すると、それぞれのポートにどの情報処理装置が接続されているか判断するのが困難であった。このような状態で、例えば接続されているいずれかの情報処理装置に不具合が発生し、その装置をネットワークから切り離す場合、ユーザはどのポートからケーブルを取り外せばいいかを容易に判断することができないため、作業に手間取ってしまうという問題点があった。もし、当該情報処理装置が接続されているポートと異なるポートのケーブルを誤って取り外してしまった場合には、取り外されたケーブルの接続先の装置に支障を与えてしまう問題もあった。
【０００５】
このような問題に対し、各ケーブルに接続装置名などを記載したテープを巻き付けることが一般的に行われていたが、テープを巻き付ける作業は手間がかかり、また、ケーブルに巻き付いたテープは視認性が悪く、外観上も見苦しかった。
【０００６】
本考案は、各ポートに接続されている装置等の名称を容易に確認でき、外観上もすっきりとしたネットワーク機器を提供することを目的とする。
【課題を解決するための手段】
【０００７】
請求項１に記載の考案は、略直方体形状の筐体の正面に配列された複数のネットワーク通信ポートと、前記筐体上面の前記正面側に沿って形成され、前記複数のネットワーク通信ポートの接続先を表示するネームプレートを保持するプレート台と、前記プレート台をカバーし、前記筐体に対して前記正面側の端部またはその反対側の端部を支点に開閉可能に係止された透明または半透明のパネルと、を備えたことを特徴とする。
【０００８】
この考案では、略直方体形状のネットワーク機器の正面側に複数のネットワーク通信ポートを備えている。このネットワーク通信ポートが設置された側において、上面に透明（または半透明）パネルを設置する。この透明パネルは、一方の端部がネットワーク機器と摺動可能に係止しており、ネットワーク機器と透明パネルの間にネームプレートを挟む。例えばこのネームプレートに各ポートに接続される装置等の名称を記載する。これにより、各ポートに接続されている装置等の名称を容易に確認できる。
【０００９】
請求項２に記載の考案は、上記考案において、前記パネルは、前記正面側の端部またはその反対側の端部の支点に、前記筐体側に突出する突出部を有するとともに、前記筐体は、該突出部が摺動自在に係合する孔部を有し、前記突出部は、突出方向と直交する前記パネルの外側方向にさらに突出した鉤状部を先端部に有し、前記孔部は、前記鉤状部と係合する鉤掛部を有することを特徴とする。
【００１０】
この考案では、透明パネルの一方の端部において、ネットワーク機器内部方向に突出する突出部を有し、その先端が直交する方向にさらに突出する鉤状部を有している。ネットワーク機器の内部にはこの鉤状部と係合する鉤掛部が設置され、これにより透明パネルはネットワーク機器と摺動可能に係合される。これにより、パネルを所定角度（例えば９０度）以上回動させると、筐体からパネルが外れることとなり、ユーザが誤ってパネルを回動させすぎたとしても壊れるおそれがない。
【００１１】
請求項３に記載の考案は、上記考案において、前記プレート台は、前記筐体上面よりも前記パネルの厚さ分だけ下側に形成され、前記パネルは、上面が前記筐体上面と面一になるように前記プレート台、および前記筐体に接するとともに、前記支点となる端部と逆側の端部の前記筐体との突き合わせ面に小凸部を有し、前記筐体は、前記筐体パネルとの突き合わせ面に前記小凸部と係合する凹部または孔部を有することを特徴とする。
【００１２】
この考案では、透明パネルの突出部を有する端部の逆側の端部の側面に小凸部を有している。ネットワーク機器の筐体には小凸部が係合する凹部（または孔部）が設置されている。これにより、ネットワーク機器をどの向きに設置しても、透明パネルが容易に開くことがない。
【考案の効果】
【００１３】
以上のように、本考案によれば、各ポートに接続されている装置等の名称を容易に確認でき、外観上もすっきりとする。
【考案を実施するための最良の形態】
【００１４】
以下、本考案の実施形態であるスイッチングハブについて説明する。図１は、スイッチングハブの斜視図である。図２はスイッチングハブの正面図、図３はスイッチングハブの上面図である。
【００１５】
図１に示すように、このスイッチングハブ１は、樹脂等の素材からなる略直方体形状の筐体１０に、ＬＡＮケーブルを接続する複数（同図においては８つ）のポート１１、および電源ケーブルを接続する電源コネクタ１２を備えている。図１（Ａ）は、このスイッチングハブ１の正面右側からの斜視図であり、図１（Ｂ）は、このスイッチングハブ１の背面左側からの斜視図である。上記ポート１１および電源コネクタ１２は、図２の正面図に示すように、このスイッチングハブ１の正面に設置されている。図２において、紙面に対して垂直に下側をこのスイッチングハブ１の背面、紙面垂直に上側を正面とする。この複数のポート１１にＬＡＮケーブルを接続し、ＬＡＮケーブルを介して複数の情報処理装置等を接続する。
【００１６】
また、このスイッチングハブ１は、図３に示すように、上面に複数のＬＥＤ１３と、透明パネル１４とを備えている。複数のＬＥＤ１３は、スイッチングハブ１の上面のうち、背面方向に設置されており、透明パネル１４は、スイッチングハブ１の上面のうち、正面方向に設置されている。なお、透明パネル１４は、完全に透明に限らず半透明である場合も含まれるものである。複数のＬＥＤ１３は、それぞれポート１１に対応して設置されており、上記ポートの接続状態や通信状態を表示するものである。例えばポートにＬＡＮケーブルが接続され、情報処理装置等と接続された状態であればＬＥＤ１３を常時点灯する。また、接続された情報処理装置等とデータを送受信した場合は、ＬＥＤ１３を点滅させる。この表示態様はスイッチングハブ１に内蔵されている制御部（図示せず）によって制御される。なお、このスイッチングハブ１においては、ＬＥＤ１３をスイッチングハブ１の上面のうち、背面方向に設置、すなわちポート１１とは逆方向に設置した例について説明したが、これに限るものではなく、どの位置に設置されていてもよい。
【００１７】
透明パネル１４はアクリル等の透明素材からなり、図３に示すように、スイッチングハブ１上面の正面側から中央部にかけて筐体１０を覆う薄い板状のパネルである。この透明パネル１４のうち、正面側の端部はスイッチングハブ１に端部を支点にして回動可能に係止されている。
【００１８】
図４は、透明パネル１４を開けた状態におけるスイッチングハブ１の斜視図である。図４は、このスイッチングハブ１の背面左側からの斜視図である。透明パネル１４を開けた状態において、スイッチングハブ１の上面のうち、正面方向の半分、すなわち透明パネル１４を閉じたときに覆われる部分をプレート台１５とする。本実施形態においては、このプレート台１５に、ポート１１の接続先を表示するネームプレートを乗せる。
【００１９】
透明パネル１４は、スイッチングハブ１上面中央部側の端部左右側面に、ユーザが指等で掴みやすいように出っ張り部分１４Ａを有している。この出っ張り部分を、スイッチングハブ１の上面方向にユーザが引くことで、透明パネル１４を開くことができる。
【００２０】
プレート台１５は、上面から見て略長方形状であり、右側端部、および左側端部のうちスイッチングハブ１の正面方向の一部に切り欠き部１５Ａを有している。この切り欠き部１５Ａは、上述した透明パネル１４が係止される部分である。この係止部分について詳細に説明する。図５は、透明パネルの係止部分を説明する図である。同図において紙面の右側がスイッチングハブ１の正面であり、紙面の上側がスイッチングハブ１の上面である。
【００２１】
プレート台１５は、筐体１０上面よりも透明パネル１４の厚さ分だけ下側に位置し、透明パネル１４がプレート台１５に接すると、筐体１０上面と透明パネル１４上面が面一になる。なお、透明パネル１４と筐体１０が接するスイッチングハブ１上面中央付近は、内側に円筒形状に凹んでいるが、これは、筐体１０上面と透明パネル１４上面が正確に面一に形成されていなくとも、中央部を凹ませることで外観上面一に見えるようにしたものであり、この形状に限定するものではない。同様に、背面方向の上面、および下面についても内側に凹む形状であるが、この形状に限定するものではない。
【００２２】
透明パネル１４は、正面方向の端部と背面方向の端部（スイッチングハブ１の上面中央付近における端部）が下面方向に、プレート台１５の形状に沿って湾曲している。透明パネル１４は、正面方向の端部にプレート台１５側に突出する突出部１４Ｂを有している。さらに、突出部１４Ｂの先端に、突出方向と直交し、パネルの外側方向（スイッチングハブ１に接した状態において正面方向）に突出する鉤状部１４Ｃを有している。また、正面方向の端部の角に、透明パネル１４の側面方向（プレート台１５に接した状態においてスイッチングハブ１の正面方向）に張り出す張出部１４Ｄを有しており、この張出部１４Ｄがスイッチングハブ１の端部の上面に接する。
【００２３】
プレート台１５は、切り欠き部１５Ａを有しており、上記突出部１４Ｂがこの切り欠き部１５Ａに挿入される。また、プレート台１５は、スイッチングハブ１の正面方向端部がＬ字型に下向きに湾曲しており、その先端が筐体１０と接続されている。プレート台１５は、スイッチングハブ１正面側の内面に上記鉤状部１４Ｃが係合する鉤掛部１５Ｂを有している。鉤状部１４Ｃをこの鉤掛部１５Ｂに係合させることで、透明パネル１４をプレート台１５の上面に固定することができる。
【００２４】
また、透明パネル１４は、背面方向の端部がスイッチングハブ１（プレート台１５）の上面形状に沿って湾曲し、その先端に凸部１４Ｅを有している。筐体１０は、この凸部１４Ｅが係合する凹部（または孔部）１０Ａを有している。この凹部１０Ａと透明パネル１４の凸部１４Ｅが係合し、さらに上述のように透明パネル１４の正面方向の端部は、鉤状部１４Ｃと鉤掛部１５Ｂが係合しているので、スイッチングハブ１をどのような方向に向けたとしても、透明パネル１４は容易には外れない。ここで、凸部１４Ｄと凹部１０Ａは、摺動可能に係合するので、ユーザが透明パネル１４を上面方向に持ち上げると、プレート台１５から透明パネル１４を開くことができる。
【００２５】
透明パネル１４は、上記のような形状であるから、背面方向の端部を上面方向に持ち上げると、スイッチングハブ１の正面方向の端部を支点として回動し、この透明パネル１４を開くことができる。ここで、ユーザが透明パネル１４を所定角度以上（例えば９０度以上）回動させると、透明パネル１４の鉤状部１４Ｃが鉤掛部１５Ｂから外れ、透明パネル１４の突出部１４Ｂが切り欠き部１５Ａより引き出されることとなり、この透明パネル１４をスイッチングハブ１から取り外すことができる。ユーザは透明パネル１４を外して、このプレート台１５に乗せるネームプレートを交換することができる。
【００２６】
なお、透明パネル１４とスイッチングハブ１は、左右両端部で篏合するように記載しているが、これに限るものではなく、正面方向の中央部付近等で篏合するようにしてもよい。
【００２７】
以上のように、透明パネル１４は、スイッチングハブ１をいずれの方向に向けても容易に外れることなく、また、ユーザがスイッチングハブ１の上面方向に引くと、一方の端部を支点として回動し、所定角度以上でスイッチングハブ１から外れるので、ユーザが誤ってパネルを回動させすぎたとしても壊れるおそれがない。
【００２８】
本考案の実施形態に係るスイッチングハブ１は、このプレート台１５に以下のようなネームプレートを乗せ、透明パネル１４を閉じて挟み込む。図６は、ネームプレートの１例を示した図である。図６において、紙面の上下方向を縦とし、左右方向を横とする。図６（Ａ）は、白無地のネームプレートを示した図である。このネームプレート１６Ａは、スイッチングハブ１の左右幅と略同じ長さの横幅を有し、スイッチングハブ１の縦幅（図３の上面図において、正面から背面までの長さ）の略半分の長さの縦幅を有する。また、ネームプレート１６Ａの左右端部のうち、紙面の上方向は切り欠き形状となっている。つまり、ネームプレート６Ａは、プレート台１５の上面形状に沿う形状である。
【００２９】
同図（Ｂ）は、各ポートに対応する番号を印刷したネームプレートを示した図である。このネームプレート１６Ｂは、上記ネームプレート１６Ａと同様の形状であるが、図２に示したスイッチングハブ１の正面に設置されている各ポート１１に対応する番号を表面に印刷したものである。各番号は、ポート１１の設置位置に対応するように等間隔に印刷されている。また、各番号の間には区切り線が印刷されている。なお、ネームプレートの右側端部は、対応するポートがなく（電源コネクタ１２に対応する位置）、例えば同図（Ｂ）に示すネームプレート１６Ｂのように、管理者や、設置場所を記載する箇所を設けてもよいし、無地の空きスペースとしてもよい。
【００３０】
ユーザは、白無地のネームプレート１６Ａや、番号が印刷されたネームプレート１６Ｂに、各ポート１１にＬＡＮケーブルを介して接続されている装置等の名称（各接続先装置の使用者の名称）を記載することで、それぞれのポートにどの情報処理装置が接続されているかを容易に判断することができる。なお、ネームプレートの印刷例は上記に限るものではない。例えば同図（Ｃ）に示すネームプレート１６Ｃのように、上下を逆さまに印刷してもよい。このネームプレート１６Ｃをプレート台１５に乗せ、透明パネル１４で挟むことで、スイッチングハブ１を、正面方向（ポート１１が設置されている面）を鉛直下向きにしたときにユーザの視認性が向上する。
【００３１】
なお、ネームプレートは以下のような応用例が可能である。図７は、ネームプレートの応用例を示した図である。同図に示すようにこのネームプレート１７は、上記ネームプレート１６Ａ、ネームプレート１６Ｂよりも横幅を大きくした物である。各番号を印刷するスペースの幅は上記ネームプレート１６Ｂと同様である。このネームプレート１７は、同図に示すように、左から順に番号を１〜５まで印刷し、次にその右側に番号を４〜６まで印刷、その右側に番号を５〜７、６〜８と印刷する。さらに、その右側に番号を７、８と印刷する。右側端部は上記ネームプレート１６Ｂと同様に空きスペース等とする。
【００３２】
このような印刷を行い、このネームプレート１７を、上記番号が右側に向かって大きくなる区切り線（例えば番号４→５の間の区切り線）で谷折り、上記番号が右側に向かって小さくなる区切り線（例えば番号５→４の間の区切り線）で山折りすると、蛇腹状のネームプレートとなる。ここで、右側に向かって番号が大きくなる区切り線は同じ番号を示す箇所が２つずつ有るので、いずれか一方の箇所を谷折りにし、他方の箇所を谷折りせずに平らにすると、このネームプレート１７は、上記ネームプレート１６Ｂと同様の形状となり、左から順に番号が１〜８まで表示された状態となる。ユーザは、各番号の印刷されているスペースに、各ポート１１にＬＡＮケーブルを介して接続されている装置等の名称を記載する。
【００３３】
このネームプレート１７は、上記の谷折り箇所を変更すると、表面に露出する箇所が変更され、同一の番号が印刷された異なる箇所を表示する状態となる。したがって、ユーザは、各番号に記載した装置などの名称を変更したいときに、その記載事項を消去せずとも、同一の番号が印刷された異なる箇所に新たな名称を記載することで、名称表示を変更することができる。
【００３４】
以上のように、本実施形態のスイッチングハブは、ネームプレートに各ポート１１に接続される装置等の名称を記載し、プレート台１５と透明パネル１４の間に挟みこむことで、各ポートに接続されている装置等の名称を容易に確認できる。
【００３５】
また、本実施形態のスイッチングハブは、以下のような特徴を有する。図８は、スイッチングハブの下面図である。同図に示すように、スイッチングハブ１の下面には、複数（同図においては２つ）のマグネット１８が設置されている。このマグネット１８は、略円形状であり、中心部にスイッチングハブ１の下面に固定されるためのねじ穴を有している。マグネット１８は、スイッチングハブ１の下面側からねじで固定してもよいし、スイッチングハブ１の内面側からねじで固定してもよい。また、ねじで固定する例に限るものではない。例えば図８において、一方のマグネット１８−１は、スイッチングハブ１の内側の部品（筐体内面）等とスイッチングハブ１の下面に備えた複数の係合部１９に挟まれることによって固定されている。
【００３６】
マグネット１８は、一方の面がＳ極、他方の面がＮ極となる。ここで、図８において、一方のマグネット１８−１はＳ極面をスイッチングハブ１の下面に向け、マグネット１８−２はＮ極面をスイッチングハブ１の下面に向けている。これにより、図９に示すように、２台のスイッチングハブ１の下面同士を吸着することができ、２台をまとめて設置することが可能となる。また、２台のスイッチングハブの互いの下面が隠れ、外観上スマートに見える。また、スイッチングハブの側面幅が大きくなるので、図９に示すように、縦置き（左右いずれかの側面を下向きに設置）した場合に安定性が増すこととなる。無論、１台のスイッチングハブであっても、上記マグネット１８によって、下面をスチールデスク等に貼付けることは可能である。なお、上記マグネット１８−１、およびマグネット１８−２は、互いに反対極がスイッチングハブ１の下面に露出していればＮ極、Ｓ極のどちらが下面を向いていてもよい。
【００３７】
次に、透明パネルの別の例について説明する。本考案においては、透明パネルを以下のように構成してもよい。図１０は、他のスイッチングハブの例を示した斜視図である。図１０（Ａ）は、スイッチングハブを正面右側から見た斜視図であり、図１０（Ｂ）は、スイッチングハブを背面左側から見た斜視図である。図１１は、正面図である。図１０、および図１１に示すように、このスイッチングハブ２は、ポート１１を５つ備え、上記スイッチングハブ１と同様に電源コネクタ１２を備えている。また、透明パネル１４に代えて、透明パネル２４を備えている。このスイッチングハブ２は、上記スイッチングハブ１とネットワーク機器としての機能は同様のものであり、ポート数が異なるのみである。
【００３８】
透明パネル２４は、透明パネル１４と全く同様の構造をしているが、筐体内面に挿入される突出部を、スイッチングハブ１の正面方向ではなく上面中央（背面方向）に有している。透明パネル２４の他方の端部は、スイッチングハブ１の正面端部の形状に沿うように湾曲している。この透明パネル２４においても、突出部のさらに先端部は、直交する方向にさらに突出する鉤状部を有しており、スイッチングハブ２の内面の鉤掛部に掛かるようになっている。すなわち、このスイッチングハブ２は、図１０（Ｂ）に示すように、スイッチングハブ１に対して透明パネルが反対方向に開く(正面方向が開く）ような構造となっている。無論、上記の透明パネル２４の構造を、８ポートのスイッチングハブ１に適用してもよい。スイッチングハブの正面方向から透明パネルが開き、背面方向が篏合されているので、スイッチングハブの正面方向を鉛直下向きに設置したとしても、この透明パネルが重力で開くことがなくなる。
【００３９】
以上のように、本実施形態のスイッチングハブは、上面に透明パネルを設置し、透明パネルの一方の端部を回動可能に篏合させることで、この透明パネルとスイッチングハブ上面の間にネームプレートを挟み込める構造となっている。ネームプレートに各ポートの接続先装置名を記載しておくことで、接続先装置名を容易に確認することができる。また、透明パネルはユーザが上面方向に引くことで外れる構造であるので、ネームプレートの交換を簡略な作業で行うことができ、ユーザが回動させすぎたとしても壊れるおそれがない。
【００４０】
なお、本実施形態においては、スイッチングハブについて説明したが、本考案はこの例に限るものではなく、例えばルータ等であってもよい。
【図面の簡単な説明】
【００４１】
【図１】スイッチングハブの斜視図
【図２】スイッチングハブの正面図
【図３】スイッチングハブの上面図
【図４】透明パネル１４を開けた状態におけるスイッチングハブ１の斜視図
【図５】透明パネルの篏合部分を説明する図
【図６】ネームプレートの１例を示した図
【図７】ネームプレートの応用例を示した図
【図８】スイッチングハブの下面図
【図９】スイッチングハブを吸着させた図
【図１０】他のスイッチングハブの斜視図
【図１１】他のスイッチングハブの正面図
【符号の説明】
【００４２】
１−本考案に係るスイッチングハブ
１１−ポート
１２−電源コネクタ
１３−ＬＥＤ
１４−透明パネル
１５−プレート台
１６−ネームプレート
１８−マグネット
【図１】
0003114657.tif 000003
【図２】
0003114657.tif 000004
【図３】
0003114657.tif 000005
【図４】
0003114657.tif 000006
【図５】
0003114657.tif 000007
【図６】
0003114657.tif 000008
【図７】
0003114657.tif 000009
【図８】
0003114657.tif 000010
【図９】
0003114657.tif 000011
【図１０】
0003114657.tif 000012
【図１１】
0003114657.tif 000013